(57)【要約】【課題】簡素な構造で連動機構を構成し、コストダウンを図る。【解決手段】飲料容器ホルダ一体型レジスタ５は、レジスタ本体１０、トレイ２０、支持部材４０及び連動機構５０を備える。トレイ２０は格納位置及び突出位置間でスライドされる。支持部材４０は、軸４３によりトレイ２０に連結され、飲料容器Ｄを囲み得る枠体４１がレジスタ本体１０の吹出し口１７の直下流で起立状態となる不使用位置と、突出位置でのトレイ２０の載置部２３の上方で枠体４１が傾倒状態となる使用位置との間で、軸４３を支点として回動される。連動機構５０は、トレイ２０のスライドに連動して支持部材４０を回動させるもので、支持部材４０に設けられた係合部５１と、レジスタ本体１０のリテーナ１１に設けられた規制レール５２とからなる。規制レール５２は、トレイ２０のスライドに伴い摺動する際の係合部５１の上下位置を規制することで、支持部材４０を回動させる。【選択図】図８
2012066619.tif 000002
【特許請求の範囲】
【請求項１】
空調用空気の流路を有する筒状のリテーナを含み、かつ同流路の下流端の吹出し口からの空調用空気の吹き出し態様を可変とするレジスタ本体と、
飲料容器用の載置部を前記吹出し口よりも上流に位置させる格納位置、及び同載置部を前記吹出し口よりも下流に位置させる突出位置間でスライドされるトレイと、
軸により前記トレイに連結され、前記飲料容器を囲み得る枠体が前記吹出し口の直下流で起立状態となる不使用位置、及び前記突出位置での前記載置部の上方で前記枠体が傾倒状態となる使用位置間で、前記軸を支点として回動される支持部材と、
前記格納位置及び前記突出位置間での前記トレイのスライドに連動して前記支持部材を前記不使用位置及び前記使用位置間で回動させる連動機構と
を備え、前記連動機構が、前記支持部材に設けられた係合部と、前記リテーナに設けられて前記係合部が摺動可能に係合されるとともに、前記トレイのスライドに伴い摺動する際の前記係合部の上下位置を規制することで、前記軸を支点として、前記支持部材を前記不使用位置及び前記使用位置間で回動させる規制レールとを備えることを特徴とする飲料容器ホルダ一体型レジスタ。
【請求項２】
前記枠体は矩形の環状をなし、前記不使用位置では前記吹出し口を囲むものである請求項１に記載の飲料容器ホルダ一体型レジスタ。
【請求項３】
前記支持部材は、前記枠体から上流側へ向けて延びるアームを有しており、
前記支持部材は、前記アームにおいて前記軸により前記トレイに支持され、
前記係合部は、前記アームに設けられている請求項１又は２に記載の飲料容器ホルダ一体型レジスタ。
【請求項４】
前記係合部は、前記軸よりも上流側となる箇所に設けられており、
前記規制レールは、下流側ほど低くなるように、前記リテーナの前記流路に対し斜めに交差する傾斜部を有する請求項１〜３のいずれか１つに記載の飲料容器ホルダ一体型レジスタ。
【発明の詳細な説明】
【技術分野】
【０００１】
本発明は、飲料容器ホルダが一体化されたレジスタに関するものである。
【背景技術】
【０００２】
車両には、空調装置に接続されて、車室内に吹き出す空気の向きを調節等するためのレジスタが設けられている。
一方、車両には、飲料缶、ペットボトル等の飲料容器を起立状態に保持する飲料容器ホルダ（カップホルダとも呼ばれる）が設けられている。飲料容器ホルダは、レジスタとは異なる箇所に設けられることが多いが、近年では、飲料容器ホルダをレジスタに一体化することが考えられている。この一体化により、飲料容器及びその中の飲料等を、空調用空気によって冷却（保冷）あるいは加温（保温）することができる。また、レジスタは、座席の前方や側方等、乗員にとって手を伸ばしやすい位置に配設するのが一般的である。このため、飲料容器ホルダをレジスタに一体化すれば、乗員が飲料容器を容易に手に取ることが可能となる。
【０００３】
上記のように飲料容器ホルダが一体化されたレジスタとしては、例えば特許文献１に記載されたものがある。
この飲料容器ホルダ一体型レジスタのレジスタ本体は、空調用空気の流路を有する筒状のリテーナ（ケース）を含み、かつ同流路の下流端の吹出し口からの空調用空気の吹き出し態様（吹き出し方向、流路の開閉等）を可変とする。この吹き出し態様の可変のために、リテーナ（ケース）内には風向偏向ユニットが配設されている。
【０００４】
上記リテーナ（ケース）及び風向偏向ユニット間には、飲料容器の載置部を有するトレイが配設されている。トレイは、載置部を吹出し口よりも上流に位置させる格納位置と、載置部を吹出し口よりも下流に位置させる突出位置との間でスライドされる。
【０００５】
リテーナ（ケース）の吹出し口の上方近傍には、軸により支持部材が回動自在に支持されている。支持部材は、飲料容器を囲み得る枠体（開口枠）が吹出し口の直下流で起立状態となる不使用位置と、突出位置での載置部の上方で枠体が傾倒状態となる使用位置との間で回動される。
【０００６】
さらに、トレイのスライドに連動させて支持部材及び風向偏向ユニットを移動させる連動機構（連動手段）が設けられている。
連動機構（連動手段）は、格納位置から突出位置へのトレイのスライドに連動して支持部材を不使用位置から使用位置へ回動させるとともに風向偏向ユニットを上流側へ移動させる。また、連動機構（連動手段）は、突出位置から格納位置へのトレイのスライドに連動して支持部材を使用位置から不使用位置へ回動させるとともに風向偏向ユニットを下流側の原位置へ移動させる。風向偏向ユニットの上流側への移動により、トレイの載置部が拡張され、下流側への移動により、同載置部が元の大きさに戻される。
【０００７】
なお、上記特許文献１についての記載中、部材名称に続くかっこ内の名称は、同特許文献１で使用されている部材名称である。
連動機構（連動手段）は、風向偏向ユニット及びトレイにそれぞれ設けられたラックギヤと、支持部材に設けられた円弧状のセクターギヤと、リテーナ（ケース）に設けられたピニオンギヤとを備えている。ピニオンギヤは風向偏向ユニットのラックギヤに噛合されている。セクターギヤはピニオンギヤとトレイのラックギヤとに噛合されている。
【０００８】
連動機構（連動手段）が上記のように構成されていることから、支持部材が軸を支点として回動されると、その回転運動がセクターギヤ及びピニオンギヤを介して両ラックギヤに伝達され、風向偏向ユニットの移動及びトレイのスライドが行なわれる。また、トレイがスライドされると、その直線運動がラックギヤを介してセクターギヤに伝達されるとともに、同セクターギヤの回動がピニオンギヤを介して風向偏向ユニットのラックギヤに伝達される。これらの伝達により、支持部材の回動及び風向偏向ユニットの移動が行なわれる。
【先行技術文献】
【特許文献】
【０００９】
【特許文献１】特開２００７−３０８４０号公報
【発明の概要】
【発明が解決しようとする課題】
【００１０】
ところが、特許文献１では、上述したように連動機構（連動手段）として、一対のラックギヤ、セクターギヤ及びピニオンギヤといった多くのギヤを用い、互いに噛合させている。そのため、連動機構（連動手段）の構造が複雑になり、コストアップを招くという問題がある。
【００１１】
本発明は、このような実情に鑑みてなされたものであって、その目的は、簡素な構造で連動機構を構成し、コストダウンを図ることのできる飲料容器ホルダ一体型レジスタを提供することにある。
【課題を解決するための手段】
【００１２】
上記の目的を達成するために、請求項１に記載の発明は、空調用空気の流路を有する筒状のリテーナを含み、かつ同流路の下流端の吹出し口からの空調用空気の吹き出し態様を可変とするレジスタ本体と、飲料容器用の載置部を前記吹出し口よりも上流に位置させる格納位置、及び同載置部を前記吹出し口よりも下流に位置させる突出位置間でスライドされるトレイと、軸により前記トレイに連結され、前記飲料容器を囲み得る枠体が前記吹出し口の直下流で起立状態となる不使用位置、及び前記突出位置での前記載置部の上方で前記枠体が傾倒状態となる使用位置間で、前記軸を支点として回動される支持部材と、前記格納位置及び前記突出位置間での前記トレイのスライドに連動して前記支持部材を前記不使用位置及び前記使用位置間で回動させる連動機構とを備え、前記連動機構が、前記支持部材に設けられた係合部と、前記リテーナに設けられて前記係合部が摺動可能に係合されるとともに、前記トレイのスライドに伴い摺動する際の前記係合部の上下位置を規制することで、前記軸を支点として、前記支持部材を前記不使用位置及び前記使用位置間で回動させる規制レールとを備えることを要旨とする。
【００１３】
上記の構成によれば、飲料容器ホルダ一体型レジスタで飲料容器を起立状態に保持しないときには、トレイが格納位置に格納されるとともに、支持部材が不使用位置に保持される。この格納位置では、飲料容器の載置部がリテーナの吹出し口よりも上流に位置する。また、不使用位置では、支持部材の枠体がリテーナの吹出し口の直下流で起立状態となる。
【００１４】
飲料容器ホルダ一体型レジスタで飲料容器を起立状態に保持したいときには、トレイが突出位置に、また、支持部材が使用位置に、それぞれ保持される。突出位置では、載置部が吹出し口よりも下流に位置する。また、使用位置では、支持部材の枠体が、トレイの載置部の上方で傾倒状態となる。
【００１５】
そのため、飲料容器を起立状態に把持しながら、支持部材の枠体に対し上方から挿入する。そして、この飲料容器をトレイの載置部に載置すると、同飲料容器が起立状態となる。支持部材の枠体は載置部の上方で飲料容器を囲み、起立状態の飲料容器の動きを規制する。そのため、飲料容器は起立状態に保持される。
【００１６】
このように起立状態に保持された飲料容器に対し、吹出し口から吹き出された空調用空気が当たることで、同飲料容器の保温・保冷が行なわれる。
トレイが上記格納位置から突出位置へスライドされると、支持部材をトレイに連結する軸や、同支持部材の係合部が、そのスライドに追従して下流側へ移動する。この際、係合部が規制レールに沿って摺動することで、同係合部の上下位置が規制される。この規制により係合部の上下位置が変化することで、支持部材が軸を支点として不使用位置から使用位置へ回動される。
【００１７】
これに対し、トレイが突出位置から格納位置へスライドされると、上記軸及び係合部が、そのスライドに追従して上流側へ移動する。この際、係合部が規制レールに沿って摺動することで、同係合部の上下位置が規制される。この規制により係合部の上下位置が変化することで、支持部材が軸を支点として使用位置から不使用位置へ回動される。
【００１８】
このように、係合部及び規制レールといった、少ない部品点数で、しかも簡単な構成でありながら、トレイのスライドに連動して支持部材を回動させる連動機構が成立する。
請求項２に記載の発明は、請求項１に記載の発明において、前記枠体は矩形の環状をなし、前記不使用位置では前記吹出し口を囲むものであることを要旨とする。
【００１９】
レジスタ本体では、一般に、リテーナの吹出し口の周りに、意匠面を構成するベゼルが設けられる。
一方、請求項２に記載の発明では、支持部材が使用位置へ回動されて枠体が吹出し口の直下流で起立状態となったとき、その枠体は吹出し口を囲む。
【００２０】
そのため、飲料容器ホルダ一体型レジスタで飲料容器を起立状態に保持しないときには、枠体をレジスタ本体のベゼルの少なくとも一部として機能させることが可能となる。一般的なレジスタ本体に設けられているような、リテーナの吹出し口の周りのベゼルを不要としたり、同ベゼルの構成を簡素化したりすることが可能となる。
【００２１】
請求項３に記載の発明は、請求項１又は２に記載の発明において、前記支持部材は、前記枠体から上流側へ向けて延びるアームを有しており、前記支持部材は、前記アームにおいて前記軸により前記トレイに支持され、前記係合部は、前記アームに設けられていることを要旨とする。
【００２２】
上記の構成によれば、トレイが格納位置から突出位置へスライドされると、アームを含む支持部材、同アームに設けられた軸及び係合部が、そのスライドに追従して下流側へ移動する。この際、係合部が規制レールに沿って摺動することで、同係合部の上下位置が規制される。この規制により係合部の上下位置が変化することで、支持部材がアームにおいて、軸を支点として、不使用位置から使用位置へ回動される。
【００２３】
これに対し、トレイが突出位置から格納位置へスライドされると、上記支持部材、軸及び係合部が、そのスライドに追従して上流側へ移動する。この際、係合部が規制レールに沿って摺動することで、同係合部の上下位置が規制される。この規制により係合部の上下位置が変化することで、支持部材がアームにおいて、軸を支点として、使用位置から不使用位置へ回動される。
【００２４】
なお、支持部材の回動中心となる軸も、規制レールに沿って摺動する係合部も同一の部位（アーム）に設けられるため、これら軸及び係合部が別々の部位に設けられる場合に比べ、支持部材の構造が簡素なものとなる。
【００２５】
請求項４に記載の発明は、請求項１〜３のいずれか１つに記載の発明において、前記係合部は前記軸よりも上流側となる箇所に設けられており、前記規制レールは、下流側ほど低くなるように、前記リテーナの前記流路に対し斜めに交差する傾斜部を有することを要旨とする。
【００２６】
上記の構成によれば、トレイが格納位置から突出位置へスライドされると、支持部材、軸及び係合部が、そのスライドに追従して下流側へ移動する。この際、係合部が規制レールの傾斜部に沿って摺動することで、同係合部の上下位置が規制される。この規制により、係合部の上下位置が下流側ほど低くなることで、支持部材が、係合部よりも下流の軸を支点として、不使用位置から使用位置へ向けて上方へ回動される。
【００２７】
これに対し、トレイが突出位置から格納位置へスライドされると、支持部材、軸及び係合部が、そのスライドに追従して上流側へ移動する。この際、係合部が規制レールの傾斜部に沿って摺動することで、同係合部の上下位置が規制される。この規制により、係合部の上下位置が上流側ほど高くなることで、支持部材が、軸を支点として使用位置から不使用位置へ向けて下方へ回動される。
【発明の効果】
【００２８】
本発明の飲料容器ホルダ一体型レジスタによれば、簡素な構造で連動機構を構成し、コストダウンを図ることができる。
【図面の簡単な説明】
【００２９】
【図１】本発明を具体化した一実施形態を示す図であり、飲料容器ホルダ一体型レジスタの一部の構成部品を分解して示す斜視図。
【図２】同じく、飲料容器ホルダ一体型レジスタの一部の構成部品を分解して示す斜視図。
【図３】レジスタ本体の側面図。
【図４】ケースとトレイとの間に設けられた弾性部材、板ばね等を示す部分平断面図。
【図５】トレイが格納位置に格納され、かつ支持部材が不使用位置に保持された状態を示す飲料容器ホルダ一体型レジスタの概略側面図。
【図６】トレイが格納位置から若干引き出され、かつ支持部材が吹出し口から若干下流側へ離された状態を示す飲料容器ホルダ一体型レジスタの概略側面図。
【図７】トレイがさらに引き出され、かつ支持部材が若干傾倒された状態を示す飲料容器ホルダ一体型レジスタの概略側面図。
【図８】トレイが突出位置まで引き出され、かつ支持部材が使用位置まで回動された状態を示す飲料容器ホルダ一体型レジスタの概略側面図。
【発明を実施するための形態】
【００３０】
以下、本発明を車両用の飲料容器ホルダ一体型レジスタに具体化した一実施形態について、図面を参照して説明する。なお、以下の説明では、車両の前進方向を前方と記載し、それを基準に前、後、上、下、左、右を規定している。
【００３１】
車室内において、運転席及び助手席の車両前方にはインストルメントパネル（図示略）が配設されている。インストルメントパネルの左右両端部、中央部等には、空調装置（図示略）等からの空気の吹き出しを遮断したり、吹き出し方向を変更したりするためのレジスタが組み込まれている。これらのうち、少なくとも一部のレジスタには、図５に示す飲料容器ホルダ一体型レジスタ５が用いられている。
【００３２】
飲料容器ホルダ一体型レジスタ５は、図１及び図２の少なくとも一方に示すように、レジスタ本体１０、トレイ２０、支持部材４０及び連動機構５０を備えている。次に、各部の構成について説明する。
【００３３】
＜レジスタ本体１０＞
図１及び図３の少なくとも一方に示すように、レジスタ本体１０は、一般的なレジスタと同様の構造を有している。すなわち、レジスタ本体１０は、リテーナ１１、複数枚の縦フィン１２、複数枚の横フィン１３、操作ノブ１４等を備えている。なお、図１では、縦フィン１２、横フィン１３、操作ノブ１４等の図示が省略されている。
【００３４】
リテーナ１１は、空調装置の通風ダクトと、インストルメントパネルに設けられた開口とを繋ぐためのものである。リテーナ１１は両端が開口された筒状体からなり、その内部空間を空調用空気の流路１５としている。リテーナ１１における上流側の開口は、通風ダクトからの空調用空気の導入口１６を構成し、下流側の開口は空調用空気の吹出し口１７を構成している。導入口１６及び吹出し口１７はいずれも矩形状をなしている。
【００３５】
各縦フィン１２は、略上下方向に細長い板状をなし、リテーナ１１内において、同リテーナ１１の上下の壁部等に回動可能に支持されている。各縦フィン１２は、回動することで、吹出し口１７からの空調用空気の吹き出し方向を左右方向に変更する。
【００３６】
各横フィン１３は、リテーナ１１内の上記縦フィン１２よりも下流側に配置されている。各横フィン１３は、左右方向に細長い板状をなし、リテーナ１１の左右の壁部に回動可能に支持されている。各横フィン１３は、回動することで、吹出し口１７からの空調用空気の吹き出し方向を上下方向に変更する。
【００３７】
操作ノブ１４は、縦フィン１２及び横フィン１３の傾きを変更するための部材であり、
１枚の横フィン１３に対し、左右方向へスライド可能に取付けられている。この操作ノブ１４のスライドは、伝達部材（図示略）を介して縦フィン１２に伝達されるようになっている。
【００３８】
なお、縦フィン１２よりも上流には、流路１５を開閉するためのシャットダンパ（図示略）が回動可能に支持されている。
また、リテーナ１１の吹出し口１７の周りには、ベゼルの一部を構成する矩形状の枠体１８が装着されている。
【００３９】
このようにレジスタ本体１０は、縦フィン１２、横フィン１３、シャットダンパ等により、リテーナ１１の吹出し口１７からの空調用空気の吹き出し態様（吹出し方向、流路１５の開閉）を可変とする。
【００４０】
＜トレイ２０＞
図２及び図５の少なくとも一方に示すように、リテーナ１１後部の直下にはケース２１が配置され、同リテーナ１１に固定されている。ケース２１は、高さが低く、上記流路１５に沿う方向に短い四角筒状をなしている。ケース２１の上流端及び下流端は、いずれも左右方向に細長い長方形状に開口している。なお、図５ではケース２１が二点鎖線で描かれている。図６〜図８についても同様である。
【００４１】
トレイ２０は、このケース２１内に前記流路１５に沿う方向へ摺動可能に収容されている。トレイ２０の大部分をなす本体部２２は、高さが低く、前記流路１５に沿う方向の長さが上記ケース２１よりも長い略四角箱状をなしている。本体部２２の下流側には、飲料缶、ペットボトル等の飲料容器Ｄ（図８参照）を置くための載置部２３が設けられている。載置部２３は、本体部２２の上面において円形に開口された凹部からなる。
【００４２】
本体部２２の下流端の左右両側部には、略上方へ向けて一対のブラケット２４が突設されている。各ブラケット２４の上端部には、左右方向に貫通する軸孔２４Ａがあけられている。
【００４３】
上記の構成を有するトレイ２０は、上記載置部２３を吹出し口１７より上流（リテーナ１１の下方）に位置させる格納位置（図５参照）と、同載置部２３を前記吹出し口１７よりも下流に位置させる突出位置（図８参照）との間でスライドされる。
【００４４】
図２、図４及び図５の少なくとも１つに示すように、トレイ２０の左右の壁部には、上記流路１５に沿う方向に延びる段差部２５が設けられている。各段差部２５の内底部の複数箇所（本実施形態では２箇所）には、取付け凹部３３が設けられている。各取付け凹部３３には、ケース２１の左右の壁部に弾性接触する弾性部材２６が取付けられていて（図２では図示略）、この弾性部材２６がケース２１に対して摺動抵抗を付与するように構成されている。各弾性部材２６は、熱可塑性ポリエステルエラストマー等の軟質樹脂によって形成されている。各弾性部材２６は、基部２７と、基部２７から湾曲状に突出して、ケース２１の左右の壁部に弾性接触する摺接部２８とを備えている。各基部２７には、各摺接部２８の突出方向とは逆方向へ突出する複数の取付けピン２９（図４参照）が突設されており、これらの取付けピン２９が、対応する取付け凹部３３の内底部に設けられた取付け孔３１に圧入されている。
【００４５】
各取付け凹部３３の内底部と各弾性部材２６との間には、板ばね３２が配置されている（図４参照）。各板ばね３２は、摺接部２８に対応した突状に湾曲形成されている。板ばね３２は、軟質樹脂製の摺接部２８の弾性力を補う役目を担っている。
【００４６】
＜支持部材４０＞
図１、図２及び図５の少なくとも１つに示すように、支持部材４０は、枠体４１及び一対のアーム４２を備えている。なお、図５では、支持部材４０が二点鎖線で描かれている。図６〜図８についても同様である。
【００４７】
枠体４１は、矩形の環状をなし、飲料容器Ｄ（図８参照）及びリテーナ１１の吹出し口１７を囲み得る大きさを有していて、上述した枠体１８（図１参照）とともに同リテーナ１１のベゼルを構成するものである。
【００４８】
両アーム４２は、枠体４１の左右両側部から略上流側へ向けて延びている。本実施形態では、各アーム４２は、自身の下流側部分において、枠体４１の左右両側部の下部に繋がっている。各アーム４２の上流側部分は、上流側ほど高くなるように傾斜している。支持部材４０が後述する使用位置にされたときには、各アーム４２の上流端はリテーナ１１の上部に位置する（図５参照）。
【００４９】
各アーム４２の長さ方向についての略中間部分には、左右方向に貫通する軸孔４２Ａがあけられている。左右の各アーム４２は、左右の各ブラケット２４の外側に重ねられている。各アーム４２の軸孔４２Ａと各ブラケット２４の軸孔２４Ａとが合致させられ、両軸孔４２Ａ，２４Ａに軸４３が挿通されている。支持部材４０は、これらの軸４３によりトレイ２０（ブラケット２４）に連結されるとともに、同軸４３を支点として上下（前後）方向に回動自在である。
【００５０】
上記構成の支持部材４０は、上記枠体４１が吹出し口１７の直下流で起立状態となる不使用位置（図５参照）と、突出位置での載置部２３の上方で枠体４１が傾倒状態となる使用位置（図８参照）との間で、軸４３を支点として回動される。ここで、起立状態は、流路１５に直交する状態のほか、同流路１５に対し多少傾斜した状態も含まれる。また、傾倒状態は、上方からの飲料容器Ｄの挿通が可能であることを条件に、前記起立状態よりも傾きが緩やかになった状態である。
【００５１】
なお、上述したトレイ２０の載置部２３と、支持部材４０の枠体４１とによって、飲料容器Ｄを起立状態に保持する飲料容器ホルダが構成されている。
＜連動機構５０＞
図１及び図５の少なくとも一方に示すように、連動機構５０は、格納位置から突出位置へのトレイ２０のスライドに連動して支持部材４０を不使用位置から使用位置へ回動させる。また、連動機構５０は、突出位置から格納位置へのトレイ２０のスライドに連動して支持部材４０を使用位置から不使用位置へ回動させるためのものである。
【００５２】
連動機構５０は、左右一対の係合部５１と、左右一対の規制レール５２とからなる。
各係合部５１は、円柱状をなし、支持部材４０における各アーム４２の上流側端部から、対向するアーム４２側へ突出している。
【００５３】
各規制レール５２は、リテーナ１１の左右の壁部の外側に設けられている。各規制レール５２は溝５３を有しており、この溝５３内に上記係合部５１が摺動可能に係入（係合）されている。
【００５４】
各規制レール５２は、トレイ２０のスライドに伴い摺動する際の係合部５１の上下位置を規制することで、軸４３を支点として、支持部材４０を不使用位置及び使用位置間で回動させる。
【００５５】
各規制レール５２の主要部は、下流側ほど低くなるように、リテーナ１１の流路１５（トレイ２０）に対し斜めに交差する傾斜部５４によって構成されている。各規制レール５２の上端部は、リテーナ１１の上部に位置し、かつ上記流路１５に対し略平行な上部平行部５５によって構成されている。この上部平行部５５の下流端は、傾斜部５４の上端に繋がっている。また、各規制レール５２の下端部は、リテーナ１１の下部に位置し、かつ上記流路１５に対し略平行な下部平行部５６によって構成されている。この下部平行部５６の上流端は、傾斜部５４の下端に繋がっている。
【００５６】
上記のようにして、本実施形態の飲料容器ホルダ一体型レジスタ５が構成されている。
この飲料容器ホルダ一体型レジスタ５では、リテーナ１１の吹出し口１７からの空調用空気の吹き出し態様（吹き出し方向、流路１５の開閉等）がレジスタ本体１０（縦フィン１２、横フィン１３、シャットダンパ等）によって変更される。
【００５７】
飲料容器ホルダ一体型レジスタ５で飲料容器Ｄを起立状態に保持しないとき（飲料容器ホルダの不使用時）には、図５に示すように、トレイ２０が格納位置に格納される。この格納位置では、飲料容器Ｄの載置部２３（図２、図８参照）が吹出し口１７よりも上流（リテーナ１１の下方）に位置する。また、このときには、軸４３がケース２１の上方に位置し、係合部５１が規制レール５２の上部平行部５５に位置する。軸４３及び係合部５１がこれらの位置にあることから、支持部材４０が不使用位置に保持される。この不使用位置では、支持部材４０の枠体４１がリテーナ１１の吹出し口１７の下流近傍で起立状態となって、その吹出し口１７を囲む。支持部材４０の各アーム４２の全体は、リテーナ１１の左右の壁部の外側に位置する。
【００５８】
このため、これらのトレイ２０及び支持部材４０が、リテーナ１１の吹出し口１７から吹き出される空調用空気の流れの妨げとなることはない。
また、レジスタ本体１０では、一般に、リテーナ１１の吹出し口１７の周りに、意匠面を構成するベゼルが設けられるところ、本実施形態では、上述したように枠体４１が吹出し口１７を囲むことから、上記飲料容器ホルダの不使用時には、枠体４１が枠体１８とともにレジスタ本体１０のベゼルとして機能する。
【００５９】
一方、飲料容器ホルダ一体型レジスタ５で飲料容器Ｄを起立状態に保持するとき（飲料容器ホルダの使用時）には、図８に示すように、トレイ２０が突出位置に保持される。この突出位置では、凹部からなる載置部２３が吹出し口１７よりも下流に位置する。また、このときには、軸４３が吹出し口１７から下流側へ離れた箇所に位置し、係合部５１が規制レール５２の下部平行部５６に位置する。軸４３及び係合部５１がこれらの位置にあることから、支持部材４０が使用位置に保持される。この使用位置では、支持部材４０の枠体４１が、突出位置にあるトレイ２０の載置部２３の上方で、傾倒状態となる。
【００６０】
そのため、飲料容器Ｄを起立状態に把持しながら、支持部材４０の枠体４１に対し、上方から挿入する。そして、同図８において二点鎖線で示すように、この飲料容器Ｄの下部をトレイ２０の載置部２３内に挿入して置く。ここで、載置部２３及び枠体４１がともに吹出し口１７よりも下流側へ離れた箇所に位置していることから、上記のように飲料容器Ｄを枠体４１に挿入し、載置部２３上に置く際に、同飲料容器Ｄがレジスタ本体１０と干渉することはない。この干渉を回避するために、特許文献１に記載されているような、風向偏向ユニットを上流側へ移動させる機構は不要である。
【００６１】
上記のように載置部２３上に載置された状態では、飲料容器Ｄが起立状態となる。載置部２３の内壁面は、起立状態の飲料容器Ｄの下部の動きを規制する。また、支持部材４０の枠体４１は、載置部２３の上方で飲料容器Ｄを囲み、起立状態の飲料容器Ｄの中間部や上部の動きを規制する。このため、載置部２３と枠体４１とによって、飲料容器Ｄが起立状態に保持される。
【００６２】
このように起立状態に保持された飲料容器Ｄに対し、吹出し口１７から吹き出された空調用空気が当たることで、同飲料容器Ｄの保温・保冷が行なわれる。
ところで、上記格納位置にある図５に示すトレイ２０を、図８に示す突出位置までスライドさせるために、同トレイ２０が乗員によって下流側へ引き出されると、飲料容器ホルダ一体型レジスタ５の形態は、その引出しに伴うトレイ２０のスライド量に応じて、図６→図７→図８の順に変化する。
【００６３】
アーム４２を含む支持部材４０、同支持部材４０をトレイ２０に連結すべくアーム４２に設けられた軸４３や、同アーム４２に設けられて規制レール５２に係合された係合部５１が、トレイ２０のスライドに追従して下流側へ移動する。この際、軸４３のトレイ２０からの高さ（上下位置）は、トレイ２０のスライド量に拘らず変化しない。しかし、係合部５１は、規制レール５２に沿って摺動することで、上下位置を規制される。
【００６４】
図６に示すように、係合部５１が規制レール５２の上部平行部５５を摺動するときには、係合部５１は流路１５（トレイ２０）に略平行に摺動する。そのため、係合部５１が上部平行部５５を摺動する期間では、トレイ２０のスライドに拘らずアーム４２が回動しない。支持部材４０は、起立状態を維持しつつ（傾きを維持しつつ）、吹出し口１７から下流側へ離れる（平行移動する）。
【００６５】
係合部５１は、上部平行部５５から傾斜部５４へ移ると、同傾斜部５４に沿って摺動するようになる。図７に示すように、規制レール５２の傾斜部５４は、下流側ほど低くなるように傾斜している。そのため、係合部５１がこの傾斜部５４を摺動する際には、係合部５１の上下位置が、下流側ほど低くなるように変化する。アーム４２には、係合部５１を通じ、下方へ向かう力が加えられる。軸４３によりトレイ２０に支持されたアーム４２は、上記下方へ向かう力が加わることで、トレイ２０の下流側へのスライドに伴い、軸４３を支点として同図７の時計回り方向へ回動する。この回動により、支持部材４０の枠体４１の傾きが緩やか（なだらか）になる方向へ変化する。
【００６６】
そして、トレイ２０が上記図７よりもさらに下流側へ引き出されて、係合部５１が、規制レール５２の傾斜部５４から下部平行部５６へ移ると、同係合部５１の上下位置が最も低くなる。アーム４２が軸４３を支点としてさらに時計回り方向へ回動し、支持部材４０の枠体４１の傾きが、図７よりもさらに緩くなって、傾倒状態となる。
【００６７】
規制レール５２の下部平行部５６では、係合部５１は流路１５（トレイ２０）に略平行に摺動する。そのため、係合部５１が下部平行部５６を摺動する期間では、トレイ２０のスライドに拘らずアーム４２が回動しない。支持部材４０は、傾倒状態を維持しつつ（傾きを維持しつつ）、吹出し口１７からさらに下流側へ離れて（平行移動して）、図８に示す使用位置に到達する。
【００６８】
これに対し、上記突出位置にある図８に示すトレイ２０を、図５に示す格納位置までスライドさせるために、トレイ２０が乗員によって上流側へ押し込まれると、飲料容器ホルダ一体型レジスタ５の形態は、その押し込みに伴うトレイ２０のスライド量に応じて、図７→図６→図５の順に変化する。
【００６９】
支持部材４０、軸４３及び係合部５１が、トレイ２０のスライドに追従して上流側へ移動する。この際、軸４３のトレイ２０からの高さ（上下位置）は、トレイ２０のスライド量に拘らず変化しない。しかし、係合部５１は、規制レール５２に沿って摺動することで、上下位置を規制される。
【００７０】
図８に示すように、規制レール５２の下部平行部５６では、係合部５１は流路１５（トレイ２０）に略平行に摺動する。そのため、係合部５１が下部平行部５６を摺動する期間では、トレイ２０のスライドに拘らずアーム４２が回動しない。支持部材４０は、傾倒状態を維持しつつ（傾きを維持しつつ）、吹出し口１７に近づく（平行移動する）。
【００７１】
係合部５１は、下部平行部５６から傾斜部５４へ移ると、同傾斜部５４に沿って摺動するようになる。図７に示すように、傾斜部５４は、上流側ほど高くなるように傾斜している。そのため、係合部５１がこの傾斜部５４を摺動する際には、係合部５１の上下位置が、上流側ほど高くなるように変化する。アーム４２には、係合部５１を通じ、上方へ向かう力が加えられる。軸４３によりトレイ２０に支持されたアーム４２は、上記上方へ向かう力が加わることで、トレイ２０の上流側へのスライドに伴い、軸４３を支点として同図７の反時計回り方向へ回動する。この回動により、支持部材４０の枠体４１の傾きが急になる方向へ変化する。
【００７２】
そして、トレイ２０が上記図７よりもさらに上流側へ押し込まれて、係合部５１が、図６に示すように、規制レール５２の傾斜部５４から上部平行部５５へ移ると、同係合部５１の上下位置が最も高くなる。アーム４２が軸４３を支点としてさらに反時計回り方向へ回動し、支持部材４０の枠体４１の傾きが、図７よりもさらに急になって、起立状態となる。
【００７３】
規制レール５２の上部平行部５５では、係合部５１は流路１５（トレイ２０）に略平行に摺動する。そのため、係合部５１が上部平行部５５を摺動する期間では、トレイ２０のスライドに拘らずアーム４２が回動しない。支持部材４０は、起立状態を維持しつつ（傾きを維持しつつ）、吹出し口１７に近づく（平行移動する）。係合部５１が上部平行部５５の上流端まで移動すると、支持部材４０は、図５に示すように、吹出し口１７を囲む不使用位置に到達する。
【００７４】
トレイ２０が、上記のように格納位置と突出位置との間でスライドされるときには、同トレイ２０は図４に示すようにケース２１内を摺動する。この際、弾性部材２６において突状に湾曲形成された摺接部２８が、ケース２１の左右の壁部に対し弾性接触し、同ケース２１に対して摺動抵抗が付与される。この摺動抵抗により、トレイ２０をスライド操作する際の荷重（操作荷重）が作り出される。
【００７５】
ここで、上記摺接部２８が軟質樹脂によって形成されていることから、経年変化により同摺接部２８の弾性力が低下するおそれがある。しかし、この低下は、突状に湾曲形成された板ばね３２によって補われる。そのため、摺動抵抗の経年変化が少なく、操作荷重が良好に保たれる。
【００７６】
以上詳述した本実施形態によれば、次の効果が得られる。
（１）支持部材４０に設けられた係合部５１と、リテーナ１１に設けられた規制レール５２とによって連動機構５０を構成している（図５）。そのため、トレイ２０のスライドに伴い摺動する際の係合部５１の上下位置を規制することで、軸４３を支点として、支持部材４０を不使用位置及び使用位置間で回動させることができる。
【００７７】
このように、係合部５１及び規制レール５２といった、少ない部品点数で、しかも簡単な構成でありながら、トレイ２０のスライドに連動して支持部材４０を回動させる連動機構５０を成立させることができ、コストダウンを図ることができる。
【００７８】
（２）支持部材４０の枠体４１を矩形の環状に形成し、不使用位置では同枠体４１によって吹出し口１７を囲むようにしている（図１）。
そのため、一般的なレジスタ本体に設けられているような、リテーナ１１の吹出し口１７の周りのベゼル（枠体１８がこれに相当する）の構成を簡素化することが可能となる。
【００７９】
（３）支持部材４０を、枠体４１とその枠体４１の左右両側部から上流側へ延びる一対のアーム４２によって構成する。そして、支持部材４０を、アーム４２において軸４３によりトレイ２０に支持するとともに、係合部５１を同アーム４２に設けている（図１、図５）。
【００８０】
このように、支持部材４０の回動中心となる軸４３も、規制レール５２に沿って摺動する係合部５１も同一の部位（アーム４２）に設けられているため、これら軸４３及び係合部５１が別々の部位に設けられる場合に比べ、支持部材４０の構造を簡素化することができる。
【００８１】
（４）係合部５１を軸４３よりも上流側となる箇所に設ける。規制レール５２の一部を、下流側ほど低くなるように、リテーナ１１の流路１５に対し斜めに交差する傾斜部５４によって構成している（図７）。
【００８２】
そのため、係合部５１を傾斜部５４に沿って摺動させることで、トレイ２０が格納位置から突出位置へスライドされるときには、係合部５１の上下位置を低くし、支持部材４０を不使用位置から使用位置に向けて上方へ回動させることができる。
【００８３】
また、トレイ２０が突出位置から格納位置へスライドされるときには、係合部５１の上下位置を高くし、支持部材４０を使用位置から不使用位置へ向けて下方へ回動させることができる。
【００８４】
なお、本発明は次に示す別の実施形態に具体化することができる。
・レジスタ本体１０は、リテーナ１１を含み、吹出し口１７からの空調用空気の吹き出し態様を可変とするものであればよく、その内部構造については適宜に変更可能である。
【００８５】
・支持部材４０の枠体４１を、トレイ２０の載置部２３上に載置された飲料容器Ｄを起立状態に保持できるものであること、すなわち枠状をなすことを条件に、矩形の環状とは異なる形状に変更してもよい。例えば、コ字状、Ｌ字状等がこれに該当する。
【００８６】
・連動機構５０を、リテーナ１１の左右の壁部の片側のみに設けてもよい。
・前記実施形態では、弾性部材２６をトレイ２０に取付けたが、これに代えて、ケース２１に取付けてもよい。
【００８７】
・前記実施形態では、乗員がトレイ２０に指をかけて引き出すことにより同トレイ２０を格納位置から突出位置へスライドさせる仕様としたが、ばね等の付勢力を利用して、トレイ２０を格納位置から突出位置へスライドさせる仕様に変更してもよい。
【００８８】
・前記実施形態では、支持部材４０を、アーム４２において軸４３によりトレイ２０に支持したが、同支持部材４０を、枠体４１において軸４３によりトレイ２０に回動自在に支持してもよい。この場合には、トレイ２０のブラケット２４の形状を変更する等の変更が必要となる。
【００８９】
・リテーナ１１側のベゼルを省略し、支持部材４０の枠体４１のみによってレジスタ本体１０のベゼルを構成するようにしてもよい。
・規制レール５２（溝５３）の形状を、前記実施形態とは異なる形状に変更してもよい。
【００９０】
・本発明の飲料容器ホルダ一体型レジスタ５を、車両以外、例えば飛行機、船等の乗り物に設けてもよい。
・本発明の飲料容器ホルダ一体型レジスタ５を、車両において、インストルメントパネル以外の箇所に設けてもよい。
【符号の説明】
【００９１】
５…飲料容器ホルダ一体型レジスタ、１０…レジスタ本体、１１…リテーナ、１５…流路、１７…吹出し口、２０…トレイ、２３…載置部、４０…支持部材、４１…枠体、４２…アーム、４３…軸、５０…連動機構、５１…係合部、５２…規制レール、５４…傾斜部、Ｄ…飲料容器。
【図１】
2012066619.tif 000003
【図２】
2012066619.tif 000004
【図３】
2012066619.tif 000005
【図４】
2012066619.tif 000006
【図５】
2012066619.tif 000007
【図６】
2012066619.tif 000008
【図７】
2012066619.tif 000009
【図８】
2012066619.tif 000010